(57)【要約】【課題】菓子やアクセサリなどのプレゼント商品にオリジナルメッセージを付けて送ることが可能なメッセージカードシステムの提供。【解決手段】プレゼント商品３の送り主は、プレゼント商品３に付される受取人用メッセージカード４ｂと一組にされた送り主用メッセージカード４ａを用いて携帯電話機２ａによりオリジナルメッセージをサーバ１に登録し、プレゼント商品３の受取人は、プレゼント商品３に付された受取人用メッセージカード４ｂを用いて携帯電話機２ｂによりサーバ１にアクセスし、このオリジナルメッセージを受け取る。【選択図】図１
2010250622.tif 000002
【特許請求の範囲】
【請求項１】
オリジナルメッセージが登録されるサーバと、
プレゼント商品に付される受取人用メッセージカードであり、前記サーバに登録されたオリジナルメッセージを受け取るためのＵＲＩが埋め込まれた２次元コードが付された受取人用メッセージカードと、
この受取人用メッセージカードと一組にされる送り主用メッセージカードであり、前記受取人用メッセージカードの２次元コードに埋め込まれたＵＲＩにより受け取られるオリジナルメッセージを、前記サーバに登録するためのユニークなＵＲＩが埋め込まれた２次元コードが付された送り主用メッセージカードとを有し、
前記サーバは、
前記送り主用メッセージカードに付された２次元コードに埋め込まれたユニークなＵＲＩによりアクセスした通信装置からオリジナルメッセージの登録を受け付けるメッセージ受付手段と、
このメッセージ受付手段により受け付けた前記オリジナルメッセージを、このオリジナルメッセージを受け付けた通信装置がアクセスしたユニークなＵＲＩにより特定される送り主用メッセージカードと一組の受取人用メッセージカードに付された２次元コードに埋め込まれたＵＲＩによりアクセスした通信装置から受け取り可能なようにデータベースに登録するメッセージ登録手段と、
前記受取人用メッセージカードに付された２次元コードに埋め込まれたＵＲＩによりアクセスした通信装置に対して前記データベースに登録された前記オリジナルメッセージを送信するメッセージ送信手段と
を含むものであるメッセージカードシステム。
【請求項２】
前記サーバは、
前記受取人用メッセージカードに付された２次元コードに埋め込まれたＵＲＩによりアクセスした通信装置に対して前記オリジナルメッセージに対する返信のメッセージを受け付ける返信メッセージ受付手段と、
前記返信メッセージ受付手段により受け付けた前記返信のメッセージを、前記オリジナルメッセージを受け付けた通信装置から受け取り可能なように前記データベースに登録する返信メッセージ登録手段と、
前記送り主用メッセージカードに付された２次元コードに埋め込まれたＵＲＩによりアクセスした通信装置に対して前記データベースに登録された前記返信のメッセージを送信する返信メッセージ送信手段と
をさらに含むものである請求項１記載のメッセージカードシステム。
【請求項３】
前記受取人用メッセージカードは、前記送り主用メッセージカードの１枚に対して２枚以上が組み合わされるものである請求項１または２に記載のメッセージカードシステム。
【発明の詳細な説明】
【技術分野】
【０００１】
本発明は、菓子やアクセサリなどのプレゼント商品にオリジナルメッセージを付けて送ることができるメッセージカードシステムに関する。
【背景技術】
【０００２】
バレンタインデーや誕生日などには菓子やアクセサリなどのプレゼント商品に、メッセージカードを添付することが行われる。従来のメッセージカードは、装飾が施された紙媒体に１枚ずつ手作業にてオリジナルメッセージを書き込み、プレゼント商品とともに受取人に渡されるが、大量のプレゼントを多くの人に一度に贈る場合には大変な作業となる。
【０００３】
ところで、例えば特許文献１には、携帯電話のデジタルコンテンツをより簡単に取得できるように、事業者側のコンテンツサーバに接続するためのＵＲＬが埋め込まれた２次元コードをアクセスカードに印刷しておき、ユーザがこの２次元コードを携帯電話により読み取ってＵＲＬが示すコンテンツサーバに接続してデジタルコンテンツをダウンロードできる情報配信システムが開示されている。
【先行技術文献】
【特許文献】
【０００４】
【特許文献１】特開２００６−１８４９８０号公報
【発明の概要】
【発明が解決しようとする課題】
【０００５】
携帯電話の普及により、前述の従来のメッセージカードによるメッセージのやり取りは電子メールのやり取りへと変遷してきている。一方で、電子メールの送信は受取人の電子メールアドレスを知らなければ行うことができない。また、電子メールを送信した場合、双方にお互いの電子メールアドレスが知られてしまうことになるが、電子メールアドレスを知られることに抵抗がある場合も多い。
【０００６】
特許文献１に記載の情報配信システムを用いれば、２次元コードが印刷されたアクセスカードを受取人に送ることでコンテンツサーバ上のコンテンツをプレゼントすることも可能であると思われる。しかしながら、このコンテンツサーバ上のコンテンツは事業者側が予め準備したものであるため、オリジナルメッセージを送ることは不可能である。
【０００７】
そこで、本発明においては、菓子やアクセサリなどのプレゼント商品にオリジナルメッセージを付けて送ることが可能なメッセージカードシステムを提供することを目的とする。
【課題を解決するための手段】
【０００８】
本発明のメッセージカードシステムは、オリジナルメッセージが登録されるサーバと、プレゼント商品に付される受取人用メッセージカードであり、サーバに登録されたオリジナルメッセージを受け取るためのＵＲＩが埋め込まれた２次元コードが付された受取人用メッセージカードと、この受取人用メッセージカードと一組にされる送り主用メッセージカードであり、受取人用メッセージカードの２次元コードに埋め込まれたＵＲＩにより受け取られるオリジナルメッセージを、サーバに登録するためのユニークなＵＲＩが埋め込まれた２次元コードが付された送り主用メッセージカードとを有し、サーバは、送り主用メッセージカードに付された２次元コードに埋め込まれたユニークなＵＲＩによりアクセスした通信装置からオリジナルメッセージの登録を受け付けるメッセージ受付手段と、このメッセージ受付手段により受け付けたオリジナルメッセージを、このオリジナルメッセージを受け付けた通信装置がアクセスしたユニークなＵＲＩにより特定される送り主用メッセージカードと一組の受取人用メッセージカードに付された２次元コードに埋め込まれたＵＲＩによりアクセスした通信装置から受け取り可能なようにデータベースに登録するメッセージ登録手段と、受取人用メッセージカードに付された２次元コードに埋め込まれたＵＲＩによりアクセスした通信装置に対してデータベースに登録されたオリジナルメッセージを送信するメッセージ送信手段とを含むものである。
【０００９】
本発明によれば、プレゼント商品の送り主は、プレゼント商品に付される受取人用メッセージカードと一組にされた送り主用メッセージカードを用いて、この送り主用メッセージカードに付された２次元コードを通信装置により読み取ることで、この２次元コードに埋め込まれたユニークなＵＲＩによりサーバへ接続し、オリジナルメッセージを登録することができる。このとき、サーバは、受け付けたオリジナルメッセージを、このオリジナルメッセージを受け付けた通信装置がアクセスしたユニークなＵＲＩにより特定される送り主用メッセージカードと一組の受取人用メッセージカードに付された２次元コードに埋め込まれたＵＲＩによりアクセスした通信装置から受け取り可能なようにデータベースに登録する。一方、プレゼント商品の受取人は、このプレゼント商品に付された受取人用メッセージカードを用いて、この受取人用メッセージカードに付された２次元コードを通信装置により読み取ることで、この２次元コードに埋め込まれたＵＲＩによりサーバへ接続し、オリジナルメッセージを受け取ることができる。
【００１０】
ここで、サーバは、受取人用メッセージカードに付された２次元コードに埋め込まれたＵＲＩによりアクセスした通信装置に対してオリジナルメッセージに対する返信のメッセージを受け付ける返信メッセージ受付手段と、返信メッセージ受付手段により受け付けた返信のメッセージを、オリジナルメッセージを受け付けた通信装置がアクセスしたユニークなＵＲＩによりアクセスした通信装置から受け取り可能なようにデータベースに登録する返信メッセージ登録手段と、送り主用メッセージカードに付された２次元コードに埋め込まれたＵＲＩによりアクセスした通信装置に対してデータベースに登録された返信のメッセージを送信する返信メッセージ送信手段とをさらに含むものであることが望ましい。
【００１１】
これにより、前述のように、プレゼント商品に付された受取人用メッセージカードに付された２次元コードに埋め込まれたＵＲＩによりオリジナルメッセージを受け取った受取人は、サーバに返信のメッセージを登録することができる。このとき、サーバは、受け付けた返信のメッセージを、オリジナルメッセージを受け付けた通信装置から受け取り可能なようにデータベースに登録する。一方、プレゼント商品の送り主は、プレゼント商品に付された受取人用メッセージカードと一組にされた送り主用メッセージカードに付された２次元コードを通信装置により読み取ることで、この返信のメッセージを受け取ることができる。
【００１２】
また、受取人用メッセージカードは、送り主用メッセージカードの１枚に対して１枚が組み合わされるものとすることもできるが、送り主用メッセージカードの１枚に対して２枚以上が組み合わされるものであることが望ましい。これにより、送り主は１つのオリジナルメッセージをサーバに登録し、これを複数の受取人に送ることが可能となる。
【発明の効果】
【００１３】
（１）本発明によれば、プレゼント商品の送り主は、プレゼント商品に付される受取人用メッセージカードと一組にされた送り主用メッセージカードを用いてオリジナルメッセージを登録し、プレゼント商品の受取人は、プレゼント商品に付された受取人用メッセージカードを用いてこのオリジナルメッセージを受け取ることができる。これにより、菓子やアクセサリなどのプレゼント商品にオリジナルメッセージを付けて送ることが可能となる。
【００１４】
（２）オリジナルメッセージに対する返信のメッセージを受け付け、受け付けた返信のメッセージを、オリジナルメッセージを受け付けた通信装置から受け取り可能なようにデータベースに登録し、送り主用メッセージカードに付された２次元コードに埋め込まれたＵＲＩによりアクセスした通信装置に対してデータベースに登録された返信のメッセージを送信する構成により、オリジナルメッセージを受け取った受取人は、サーバに返信のメッセージを登録して送り主に返信し、双方向のコミュニケーションを行うことが可能となる。
【００１５】
（３）受取人用メッセージカードが、送り主用メッセージカードの１枚に対して２枚以上が組み合わされるものであることにより、送り主は１つのオリジナルメッセージをサーバに登録し、これを複数の受取人に送ることが可能となるので、大量のプレゼント商品を多くの人に一度に贈る場合の作業が容易となる。
【図面の簡単な説明】
【００１６】
【図１】本発明の実施の形態におけるメッセージカードシステムの概略構成図である。
【図２】図１のメッセージカードセットの拡大図である。
【図３】図１のサーバの機能構成を示すブロック図である。
【図４】図１のメッセージカードシステムによる処理を示すフロー図である。
【図５】図１のメッセージカードシステムを利用する携帯電話機の画面遷移図である。
【図６】図１のメッセージカードシステムを利用する携帯電話機の画面遷移図である。
【図７】図１のメッセージカードシステムを利用する携帯電話機の画面遷移図である。
【図８】図１のメッセージカードシステムを利用する携帯電話機の画面遷移図である。
【図９】送り主用メッセージカードの１枚に対して７枚の受取人用メッセージカードが組み合わされたメッセージカードセットを示す図である。
【発明を実施するための形態】
【００１７】
図１は本発明の実施の形態におけるメッセージカードシステムの概略構成図である。図１において、本発明の実施の形態におけるメッセージカードシステムは、オリジナルメッセージが登録されるサーバ１と、このサーバ１に接続可能な通信装置としての携帯電話機２ａ，２ｂと、プレゼント商品３に付されるメッセージカードセット４とから構成される。なお、以下の説明では、プレゼント商品３の送り主が使用する通信装置を携帯電話機２ａ、受取人が使用する通信装置を携帯電話機２ｂとする。
【００１８】
図２は図１のメッセージカードセット４の拡大図である。図２において、メッセージカードセット４は、送り主用メッセージカード４ａと受取人用メッセージカード４ｂとが一組となっている。このメッセージカードセット４は、プレゼント商品３とともに送り主に販売される。送り主用メッセージカード４ａと受取人用メッセージカード４ｂとの間にはミシン目４０が形成されており、このミシン目４０によって互いに分離可能となっている。
【００１９】
送り主用メッセージカード４ａには、オリジナルメッセージの登録用の２次元コード４１ａと、オリジナルメッセージの登録方法の説明文４２ａとが付されている。一方、受取人用メッセージカード４ｂには、オリジナルメッセージの受取用の２次元コード４１ｂと、オリジナルメッセージの受取方法の説明文４２ｂとが付されている。２次元コード４１ａ，４１ｂは、例えばＱＲコード（登録商標）を使用することが可能である。受取人用メッセージカード４ｂはプレゼント商品３に付されて、送り主から受取人へ贈られる。
【００２０】
図３は図１のサーバ１の機能構成を示すブロック図である。図３に示すように、サーバ１は、オリジナルメッセージの登録を受け付けるメッセージ受付手段１１と、受け付けたオリジナルメッセージをデータベース（ＤＢ）１０に登録するメッセージ登録手段１２と、ＤＢ１０に登録されたオリジナルメッセージを送信するメッセージ送信手段１３と、返信メッセージの登録を受け付ける返信メッセージ受付手段１６と、受け付けた返信メッセージをＤＢ１０に登録する返信メッセージ登録手段１５と、ＤＢ１０に登録された返信メッセージを送信する返信メッセージ送信手段１４とを有している。
【００２１】
メッセージ受付手段１１は、送り主用メッセージカード４ａに付された２次元コード４１ａに埋め込まれたユニークなＵＲＩ（Uniform Resource Identifier）によりアクセスした通信装置（本実施形態の例では携帯電話機２ａ）からオリジナルメッセージの登録を受け付けるものである。送り主用メッセージカード４ａの２次元コード４１ａに埋め込まれるユニークなＵＲＩは、送り主用メッセージカード４ａごとに異なるオリジナルメッセージをＤＢ１０に登録するためのものである。例えば、このＵＲＩは、メッセージ受付手段１１にアクセスするためのＵＲＬ（Uniform Resource Locator）と、それぞれの送り主用メッセージカード４ａを識別するための識別コード（ＵＲＬに付加される引数）とから構成され、メッセージカードセット４ごとにユニークなものである。
【００２２】
メッセージ登録手段１２は、メッセージ受付手段１１により受け付けたオリジナルメッセージをＤＢ１０に登録するものである。ここで、メッセージ登録手段１２は、このオリジナルメッセージを受け付けた通信装置（本実施形態の例では携帯電話機２ａ）がアクセスしたユニークなＵＲＩにより、送り主用メッセージカード４ａを特定し、この特定された送り主用メッセージカード４ａと一組の受取人用メッセージカード４ｂを特定する。そして、メッセージ登録手段１２は、後述するように、この特定された受取人用メッセージカード４ｂに付された２次元コード４１ｂに埋め込まれたＵＲＩによりアクセスした通信装置（本実施形態の例では携帯電話機２ｂ）からのみ受け取り可能なようにＤＢ１０に登録する。
【００２３】
メッセージ送信手段１３は、受取人用メッセージカード４ｂに付された２次元コード４１ｂに埋め込まれたＵＲＩによりアクセスした通信装置（本実施形態の例では携帯電話機２ｂ）に対してＤＢ１０に登録されたオリジナルメッセージを送信するものである。例えば、このＵＲＩは、メッセージ送信手段１３にアクセスするためのＵＲＬと、受取人用メッセージカード４ｂと一組の送り主用メッセージカード４ａとを関連付けるための前述のような識別コードとから構成される。
【００２４】
返信メッセージ受付手段１６は、受取人用メッセージカード４ｂに付された２次元コード４１ｂに埋め込まれたＵＲＩによりアクセスした通信装置（本実施形態においては携帯電話機２ｂ）に対してオリジナルメッセージに対する返信のメッセージを受け付けるものである。
【００２５】
返信メッセージ登録手段１５は、返信メッセージ受付手段１６により受け付けた返信のメッセージをＤＢ１０に登録するものである。ここで、返信メッセージ登録手段１５は、受取人用メッセージカード４ｂに付された２次元コード４１ｂに埋め込まれたＵＲＩにより、返信のメッセージの送り相手となる送り主の送り主用メッセージカード４ａを特定し、この送り主用メッセージカード４ａによりオリジナルメッセージを受け付けた通信装置（本実施形態においては携帯電話機２ａ）から受け取り可能なようにＤＢ１０に登録する。
【００２６】
返信メッセージ送信手段１４は、送り主用メッセージカード４ａに付された２次元コード４１ａに埋め込まれたＵＲＩによりアクセスした通信装置（本実施形態の例では携帯電話機２ａ）に対してＤＢ１０に登録された返信のメッセージを送信するものである。
【００２７】
次に、上記構成のメッセージカードシステムによる処理について、図４のフロー図に従って説明する。
【００２８】
前述のように送り主はプレゼント商品３とともにメッセージカードセット４を購入し、メッセージカードセット４の送り主用メッセージカード４ａに付された２次元コード（ＱＲコード）４１ａを携帯電話機２ａに読み込み、サーバ１にアクセスする（Ｓ１００、図５（ａ））。この２次元コード４１ａには、図５（ａ）に示すように、ＵＲＬ“http://www.***.com/reg.html”と、このＵＲＬの後に“?”に続けて付加された識別コード“**”とが埋め込まれている。この識別コードは、それぞれの送り主用メッセージカード４ａを識別するためのものであり、メッセージカードセット４ごとにユニークなものである。
【００２９】
メッセージ受付手段１１は、この識別コードにより識別されるメッセージカードセット４に対するオリジナルメッセージのＤＢ１０への登録を受け付ける。まず、メッセージ受付手段１１は、図５（ｂ）に示すように、メニュー画面を携帯電話機２ａに提供し（Ｓ１０１）、「テンプレートを使用して送る」か、「動画を送る」かを、送り主に選択させる。そして、「テンプレートを使用して送る」が選択された場合、メッセージ受付手段１１は、図５（ｃ）に示すように、テンプレート選択画面を携帯電話機２ａに提供し（Ｓ１０２）、使用するテンプレートを、送り主に選択させる。
【００３０】
そして、テンプレートが確定すると、図５（ｄ）に示す確定ボタン５０のクリックにより、携帯電話機２ａのメーラーが起動する。これにより、図５（ｅ）に示すようにサーバ１へ送信する電子メールが作成され、選択したテンプレートが携帯電話機２ａからサーバ１へ送信される（Ｓ１０３）。そして、サーバ１のメッセージ受付手段１１は、選択されたテンプレートの確認用ＵＲＩを含む電子メールを返信し、携帯電話機２ａは、これを受信する（Ｓ１０４、図６（ａ））。
【００３１】
送り主は、この電子メールの確認用ＵＲＩのクリックによりサーバ１へ接続すると、サーバ１のメッセージ受付手段１１によって図６（ｂ）に示すメッセージ作成画面が携帯電話機２ａに提供される。ここで送り主は、このメッセージ作成画面によりオリジナルメッセージの題名および本文の入力、並びに開封通知の要否および返信メッセージ受け取りの可否を選択し、決定ボタン５１のクリックにより決定する（Ｓ１０５）。メッセージ受付手段１１は、この入力されたオリジナルメッセージのプレビュー画面を作成して携帯電話機２ａへ提供する（Ｓ１０６、図６（ｃ））。そして、携帯電話機２ａにより確定ボタン５２がクリックされると、メッセージ登録手段１２は、この作成されたオリジナルメッセージをＤＢ１０へ登録し（Ｓ１０７）、登録完了を示す画面を携帯電話機２ａへ提供する（図６（ｄ））。
【００３２】
また、メッセージ登録手段１２は、この登録が完了したオリジナルメッセージの内容確認用のＵＲＩを含む電子メールを送り主の携帯電話機２ａへ送信し、携帯電話機２ａはこれを受信する（Ｓ１０８、図７（ａ））。送り主は、この電子メールの内容確認用のＵＲＩのクリックによりサーバ１へ接続すると、サーバ１は図７（ｂ）に示すメニュー画面を携帯電話機２ａへ提供する。ここで、「送信内容を確認する」を選択すると、サーバ１から携帯電話機２ａへ図７（ｃ）に示すメッセージ確認画面が提供される（Ｓ１０９）。
【００３３】
そして、送り主は、メッセージカードセット４の受取人用メッセージカード４ｂを分離して、プレゼント商品３とともに受取人へ贈る。受取人は、受取人用メッセージカード４ｂに付された２次元コード（ＱＲコード）４１ｂを携帯電話機２ｂに読み込み、サーバ１にアクセスする（Ｓ２００、図８（ａ））。この２次元コード４１ｂには、図８（ａ）に示すように、ＵＲＬ“http://www.***.com/reg.html”と、このＵＲＬの後に“?”に続けて付加された識別コード“****=****”とが埋め込まれている。この識別コードは、この受取人用メッセージカード４ｂと一組の送り主用メッセージカード４ａとを関連付けるためのものである。
【００３４】
サーバ１は、図８（ｂ）に示すように、メニュー画面を携帯電話機２ｂに提供し（Ｓ２０１）、「メッセージを再生する」か、「返信メッセージを送る」かを、受取人に選択させる。そして、「メッセージを再生する」が選択された場合、メッセージ送信手段１３は前述の識別コードにより受取人用メッセージカード４ｂと一組の送り主用メッセージカード４ａを特定して、そのオリジナルメッセージをＤＢ１０から取得し、図８（ｃ）に示すようにオリジナルメッセージの表示画面を携帯電話機２ｂに提供する（Ｓ２０２）。なお、メッセージ送信手段１３は、ＤＢ１０にオリジナルメッセージがない場合には、図８（ｄ）に示すようにその旨を表示する画面を提供する。
【００３５】
また、図８（ｃ）に示すようにオリジナルメッセージの表示画面には、返信ボタン５３が配設されており、受取人は、この返信ボタン５３をクリックすることによって送り主に返信メッセージを送信することが可能である。なお、この返信ボタン５３は、前述した図６（ｂ）の返信メッセージの受け取りの可否の選択に従い、受け取り可の場合のみ表示され、受け取り不可の場合には表示されないようになっている。
【００３６】
そして、返信ボタン５３がクリックされると、返信メッセージ受付手段１６によって図８（ｅ）に示す返信メッセージ作成画面が携帯電話機２ｂに提供される。ここで、受取人は、この返信メッセージ作成画面により返信メッセージを入力し、送信ボタン５４をクリックすると、入力内容が携帯電話機２ｂからサーバ１へ送信され、返信メッセージ受付手段１６によって受け付けられる（Ｓ２０３）。サーバ１の返信メッセージ登録手段１５は、この返信メッセージ受付手段１６により受け付けた返信のメッセージをＤＢ１０に登録する（Ｓ２０４）。また、受取人は、図８（ｂ）に示すメニュー画面から「返信メッセージを送る」を選択することによっても、同様に返信メッセージを登録することが可能である。
【００３７】
送り主は、このように返信されたメッセージを、図７（ｂ）に示すメニュー画面から「返信メッセージを見る」を選択することによって見ることが可能である。携帯電話機２ａにより「返信メッセージを見る」が選択されると、サーバ１の返信メッセージ送信手段１４は、返信メッセージをＤＢ１０から取得し、図７（ｄ）に示すように返信メッセージの表示画面を携帯電話機２ａに提供する（Ｓ１１０）。
【００３８】
なお、本実施形態においては、１枚の送り主用メッセージカード４ａと１枚の受取人用メッセージカード４ｂとが一組となったメッセージカードセット４について説明したが、送り主用メッセージカードの１枚に対して２枚以上の複数の受取人用メッセージカードが組み合わされたものとすることが可能である。
【００３９】
図９は送り主用メッセージカードの１枚に対して２枚以上の複数の受取人用メッセージカードが組み合わされたメッセージカードを示している。図９に示すメッセージカードセット５は、１枚の送り主用メッセージカード５ａと７枚の受取人用メッセージカード５ｂとが一組とされ、それぞれミシン目５０によって分割可能となっている。
【００４０】
この場合も前述と同様に、送り主用メッセージカード５ａには、オリジナルメッセージの登録用の２次元コード５１ａと、オリジナルメッセージの登録方法の説明文５２ａとが付されている。また、受取人用メッセージカード５ｂには、オリジナルメッセージの受取用の２次元コード５１ｂと、オリジナルメッセージの受取方法の説明文５２ｂとが付されている。
【００４１】
このメッセージカードセット５では、送り主は送り主用メッセージカード５ａによって１つのオリジナルメッセージをサーバ１のＤＢ１０に登録し、複数の受取人に送るプレゼント商品３のそれぞれに１枚ずつ受取人用メッセージカード４ｂを添付する。これにより、プレゼント商品３を受け取ったそれぞれの受取人は、前述と同様にサーバ１にアクセスして、図７（ｅ）に示すように、複数の受取人からオリジナルメッセージを受け取ることが可能である。これにより、大量のプレゼント商品３を多くの人に一度に贈る場合の作業が容易となる。
【００４２】
また、本実施形態においては、オリジナルメッセージとしてテンプレートに題名および本文を合わせたテキストベースのメッセージを送る構成について説明したが、動画や音声などによりメッセージを送ることも可能である。例えば、動画を送る場合、図５（ｂ）のメニュー画面から「動画を送る」を選択すると、メッセージ受付手段１１は携帯電話機２ａに対して動画ファイルを要求するので、送り主は携帯電話機２ａからサーバ１へ動画ファイルを送信する。これにより、前述と同様に動画ファイルがＤＢ１０へ登録され、受取人はこのＤＢ１０に登録された動画ファイルにより動画のメッセージを見ることができる。
【００４３】
以上のように、本実施形態におけるメッセージカードシステムでは、プレゼント商品３の送り主は、プレゼント商品３に付される受取人用メッセージカード４ｂ，５ｂと一組にされた送り主用メッセージカード４ａ，５ａを用いてオリジナルメッセージを登録し、プレゼント商品３の受取人は、プレゼント商品３に付された受取人用メッセージカード４ｂ，５ｂを用いてこのオリジナルメッセージを受け取ることができる。これにより、菓子やアクセサリなどのプレゼント商品３にオリジナルメッセージを付けて送ることが可能である。
【００４４】
特に、本実施形態におけるメッセージカードシステムでは、受取人の携帯電話機２ｂからオリジナルメッセージに対する返信のメッセージを受け付け、受け付けた返信のメッセージを、オリジナルメッセージを受け付けた携帯電話機２ａから受け取り可能なようにＤＢ１０に登録し、この携帯電話機２ａに対して返信のメッセージを送信する構成により、オリジナルメッセージを受け取った受取人は、サーバ１に返信のメッセージを登録して送り主に返信し、双方向のコミュニケーションを行うことが可能である。
【００４５】
また、本実施形態においては、サーバ１に接続可能な通信装置として携帯電話機２ａ，２ｂを例にとって説明したが、携帯電話機に限らず、各種携帯情報端末やパーソナルコンピュータなどを用いることも可能である。また、受取人用メッセージカード４ｂとして、オリジナルメッセージの受取用の２次元コード４１ｂを付した年賀はがきや官製はがきなどを使用することも可能である。
【産業上の利用可能性】
【００４６】
本発明のメッセージカードシステムは、菓子やアクセサリなどのプレゼント商品にオリジナルメッセージを付けた送ることが可能な装置として有用である。
【符号の説明】
【００４７】
１  サーバ
２ａ，２ｂ  携帯電話機
３  プレゼント商品
４，５  メッセージカードセット
４ａ，５ａ  送り主用メッセージカード
４ｂ，５ｂ  受取人用メッセージカード
１０  データベース
１１  メッセージ受付手段
１２  メッセージ登録手段
１３  メッセージ送信手段
１４  返信メッセージ送信手段
１５  返信メッセージ登録手段
１６  返信メッセージ受付手段
【図１】
2010250622.tif 000003
【図３】
2010250622.tif 000004
【図４】
2010250622.tif 000005
【図２】
2010250622.tif 000006
【図５】
2010250622.tif 000007
【図６】
2010250622.tif 000008
【図７】
2010250622.tif 000009
【図８】
2010250622.tif 000010
【図９】
2010250622.tif 000011